(57)【要約】【課題】  組み立て及び取付け作業が簡便に行えるレンズユニットを提供する。【解決手段】  光学系の一部を構成する第１レンズユニット１７は、複数のレンズ素子３２，３４〜３７，３９及び間隔環３３，２４，３８で構成されており、外周の隙間に接着剤４２を塗布して一体的に取り扱える構造になっている。このうち第２間隔環２４には、外周に第１被取り付け部２５が一体的に形成されている。第１被取り付け部は、フランジ部４０と雄ネジ部４１とで構成されている。雄ネジ部４１は、相手側部材に設けた雌ネジ部に螺合され、フランジ部４０はネジ頭部の作用をする。これにより、一体構造の第１レンズユニット１７をプロジェクタに簡便にかつローコストで取り付けることができる。【選択図】        図３
2007183505.tif 000002
【特許請求の範囲】
【請求項１】
光学系の全部又は一部を構成するレンズのうちの隣り合う一対のレンズと、
前記一対のレンズに各々当接してレンズ間隔を規制する当接部を有し、前記当接部の外周で、かつその周方向のうちの少なくとも３箇所の位置に塗布される接着剤により光軸方向の前後で前記一対のレンズを一体的に保持する間隔環と、を備え、
前記間隔環には、前記光学系を取り付けるレンズ取り付け部に位置決め固定するための被取り付け部が一体に形成されていることを特徴とするレンズユニット。
【請求項２】
前記一対のレンズ及び間隔環が予め決めた順番で挿入される筒部と、前記筒部の内周面に設けられ、前記一対のレンズのうちの前記筒部に最初に挿入されるレンズを光軸方向での所定位置に位置決めする光軸位置決め面部と、前記筒部の内周面に設けられ、前記一対のレンズ及び間隔環の中心を整合させるための複数の中心位置決め面部と、前記接着剤を塗布する位置に前記筒部を貫通して形成されている複数の開口部と、を備えた治具を用いて作られることを特徴とする請求項１記載のレンズユニット。
【請求項３】
請求項１又は２に記載のレンズユニットを用いるプロジェクタにおいて、
画像光を生成する画像光生成部と、前記レンズユニットが一部又は全部に用いられ、前記画像光生成部で生成した画像光をスクリーンに投映する投映レンズと、該プロジェクタの筺体内部の所定位置に設けられ、前記被取り付け部が位置決め固定される前記レンズ取り付け部と、を備えていることを特徴とするプロジェクタ。
【発明の詳細な説明】
【技術分野】
【０００１】
本発明は、光学系の一部又は全部を成す複数のレンズとそれらレンズの間隔を決める間隔環とを一体的に取り扱うことができる構造にしたレンズユニット及びこれを用いるプロジェクタに関するものである。
【背景技術】
【０００２】
従来、画像表示装置として、液晶プロジェクタが知られている（特許文献１）。このプロジェクタは、投映レンズ鏡筒と、画像光生成部とを備えている。画像光生成部は、光源、集光光学系、色分解光学系、及び、画像生成ユニットで構成され、これらは画像生成ユニットケースに内蔵されている。投映レンズ鏡筒は、画像光生成部で生成した画像光をスクリーンに投映する投映レンズと、この投映レンズを保持する鏡筒とからなる。この鏡筒には、画像生成ユニットケースに精度良く取り付けるための取り付け部が形成されている。
【０００３】
また、プロジェクタとして、大画面のスクリーンの後ろにプロジェクタユニットを置いてスクリーンに投影するＲＰＴＶ（リアプロジェクションテレビ）が知られている。ＲＰＴＶは、プラズマや液晶などのテレビに比べて画面サイズあたりの単価が安価なことから、かなり普及している。ただし、画面の裏側にプロジェクタユニットを入れないといけないため、厚さがでてしまうのが欠点である。
【０００４】
そこで、プロジェクタユニットに設けられる投射レンズユニットを略Ｖ字状に折り曲げることにより、投射レンズユニットの長さによる厚み方向の寸法の増大を抑え、薄型化を図ったＲＰＴＶが提案されている（特許文献２）。
【０００５】
特許文献２に記載の投射レンズユニットは、投影レンズを第１及び第２光学レンズ群との前後二つに分けて構成し、これらレンズ群の間に、光軸を一定の角度に折り曲げるプリズムなどの光経路変換手段を備えている。
【０００６】
このような投射レンズユニットは、特許文献２には記載がないが、第１及び第２光学レンズ群を第１及び第２レンズ群保持枠にそれぞれ保持し、また、光路変換手段を光路変換保持部材に保持する構成をとるのが一般的である。そして、第１及び第２光学レンズ群保持枠に光路変換保持部材に精度良く取り付けるための取り付け部をそれぞれ形成しておく。こうすれば、第１及び第２光学レンズ群保持枠を光路変換保持部材にそれぞれ取り付けて予めユニットとして組み立てておけば、その後の組み立てが簡便になる。
【０００７】
ところで、プロジェクタで用いるレンズには、大径のものが多い。このため、レンズ保持枠に組み込む作業やレンズを組み込んだレンズ保持枠の取り扱いが面倒になる。
【０００８】
また、プロジェクタでは、コスト削減が要求され、多くの部品にはプラスチック製の成型部品が使われている。このうち、複数のレンズやプリズムなどを保持する鏡体、鏡筒、及びレンズ玉枠などには、内周面に段差部が形成されている。段差部には、レンズ素子の中心を整合させるための光軸に平行な内周面と、光軸方向での位置決めを行う受け面で構成されている。複数のレンズを用いる場合には、その段差部を複数作る必要がある。このため、鏡体、鏡筒、及びレンズ玉枠は、形状が複雑になるとともに、精度良く作るために精密な金型が必要になり、コストが高く付く。
【０００９】
また、各レンズ素子を鏡筒に組み込んだ後にも、投影解像力の検査やＭＴＦ測定を行い、光軸ズレによる悪影響が発見された場合には、鏡筒からレンズ素子を取り外して再度組み直して調整し直す作業を行うため手間がかかっていた。そこで、複数のレンズ素子を例えば接着剤などで接着してレンズ保持枠を用いずに一体化構造にしたレンズブロックを用いることが望まれていた。
【００１０】
ところで、レンズ素子を間隔環の前後に接着固定するレンズ系組立方法が知られている（特許文献３）。この組立方法では、間隔環の前後に、芯出ししていないレンズ素子を配し、光軸整合などの調整を行った後に、レンズ素子と間隔環との間の隙間に接着剤を塗布して仮止めを行う。仮止めしたレンズブロックは、金型内に挿入され、ここでレンズブロックの全周を樹脂でインサートモールドして、レンズブロックの外周に樹脂製の鏡筒を作る。
【００１１】
また、複数の間隔環とレンズ素子とを治具により位置決めした状態で一体的に保持し、その後に、間隔環とレンズ素子との間を接着剤で接着し、接着剤が硬化した後に、治具を外して複数の間隔環とレンズ素子とを一体的に固着した光学ユニットが知られている（特許文献４）。
【特許文献１】特開２００４−３４１１７９号公報
【特許文献２】特開２０００−１８７２７４号公報
【特許文献３】特開昭５９−６８７１０号公報
【特許文献４】特開２００２−２４４００７号公報
【発明の開示】
【発明が解決しようとする課題】
【００１２】
しかしながら、特許文献３に記載の組立方法では、金型内でレンズブロックの周りに溶融樹脂を注入するため、レンズ素子や間隔環の材料の溶融温度が、注入される溶融樹脂の温度と同じか又は低い温度の場合には溶融するおそれがある。特にレンズ素子や間隔環をプラスチック材料で作っている場合には一部が溶融して位置がズレルなどの問題が生じるおそれがある。また、間隔環の前後で、芯取りをしていないレンズ素子を間隔環に載置して芯出し調整を行うのは、レンズ素子が位置決めされていないので、困難極まる作業になる。さらに、出来上がった鏡筒付きレンズブロックを例えば、プロジェクタに使用する場合には、画像生成ユニットケースに取り付けるための取り付け部材を鏡筒に精度良く取り付ける必要があるため、組み立て作業が手間になり、また部品点数が増えてコストがアップする。
【００１３】
特許文献４に記載の光学ユニットでは、レンズ素子と間隔環とが一体化されているものの、これを例えば、プロジェクタに使用する場合には、画像生成ユニットケースや光路変換保持部材に精度良く取り付けるために、取り付け部材付きの鏡筒が必要になるため、組み立て作業が手間になり、また部品点数が増えてコストがアップする。
【００１４】
本発明は、上記問題点を考慮してなされたもので、レンズ素子の材料に関わりなく作れ、また、一体化したレンズブロックや光学ユニットを、画像生成ユニットケースや光路変換保持部材などの相手側保持部材に取り付ける作業が簡便に行えるレンズユニット及びこれを用いるプロジェクタを提供することを目的とする。
【課題を解決するための手段】
【００１５】
上記目的を達成するために、本発明のレンズユニットは、光学系の全部又は一部を構成するレンズのうちの隣り合う一対のレンズと、前記一対のレンズに各々当接してレンズ間隔を規制する当接部を有し前記当接部の外周でかつその周方向のうちの少なくとも３箇所の位置に塗布される接着剤により光軸方向の前後で前記一対のレンズを一体的に保持する間隔環と、を備え、前記間隔環に被取り付け部を一体に形成し、この被取り付け部を、光学系を取り付けるためのレンズ取り付け部に位置決め固定するようにしたものである。接着剤を塗布する位置としては、周方向の全体としてもよいし、周方向の一部としてもよい。レンズとしては、貼り合わせレンズでもよいし、単なるレンズ素子としてもよい。
【００１６】
また、このようなレンズユニットを作る場合には、鏡筒状の治具を用いて一対のレンズと間隔環とを位置決めしておくのが好適である。治具としては、前記一対のレンズ及び間隔環が予め決めた順番で挿入される筒部と、前記筒部の内周面に設けられ、前記一対のレンズのうちの前記筒部に最初に挿入されるレンズを光軸方向での所定位置に位置決めする光軸位置決め面部と、前記筒部の内周面に設けられ、前記一対のレンズ及び間隔環の中心を整合させるための複数の中心位置決め面部と、前記接着剤を塗布する位置に前記筒部を貫通して形成されている複数の開口部と、を備えた略鏡筒形状のものが望ましい。
【００１７】
このような治具としては、一体型構成の場合、治具からレンズユニットが簡単に抜けるように、隣り合うものが同じ径、又は、隣り合うもののうちの治具に挿入する方向の下流側のレンズを上流側のレンズに対して小径のレンズにするのが望ましい。この場合、間隔環の外周に設けた被取り付け部を抜くために、被取り付け部を周方向の所定の間隔ごとに分断して設け、各被取り付け部を抜き方向に逃がすための逃がし溝を筒部の内周に設ければよい。
【００１８】
被取り付け部が周方向に連続して形成されている場合には、被取り付け部を挟んだ光軸方向の前後に分割した複数の割型、又は、径方向に分割した複数の割型で治具を構成すればよい。
【００１９】
このようなレンズユニットは、製品の光学系、例えばプロジェクタの場合には投映レンズの一部又は全部として用いられる。この場合、レンズユニットの被取り付け部をプロジェクタの筺体内部に設けたレンズ取り付け部に位置決め固定すればよい。レンズ取り付け部と被取り付け部との固着手段としては、ビス止めやボルト止めなどの締結部材を用いる固着手段、あるいはバヨネット結合などの周知の固着手段を用いることができる。
【発明の効果】
【００２０】
本発明によれば、光軸方向に前後に配される一対のレンズと、これらレンズの間隔を決める間隔環とを接着剤で一体的に扱えるように固定したからレンズユニットの組み立てが簡単になり、さらに、間隔環に被取り付け部を一体的に設けたから、ローコストで光学系を固定することができる。
【発明を実施するための最良の形態】
【００２１】
リアプロジェクタ１０は、図１に示すように、画像が投映される透過型のスクリーン１１と、照明光から画像光を生成して出射するプロジェクタユニット１２と、プロジェクタユニット１２から出射した画像光をスクリーン１１に向けて反射する背面鏡１３とを備えている。
【００２２】
プロジェクタユニット１２及び背面鏡１３は、筐体１４の内部に設けられ、スクリーン１１は、筐体１４の開口部１４ａに設けられている。スクリーン１１にはその裏側から画像光が照射され、投映された画像は表側から鑑賞される。このスクリーン１１は、鑑賞方向から見て水平方向に長辺を有する矩形状をしている。背面鏡１３は、上辺が長く、下辺が短い台形状をしており、スクリーン１１に対して傾斜している。
【００２３】
プロジェクタユニット１２は、図２に示すように、投映レンズ１５と画像光生成部１６とを備えている。画像光生成部１６は、光源から照射された照明光のエネルギー分布をロッドインテグレーター等の導光手段で均一化した照明光を受光して光変調することにより画像光を生成する。投映レンズ１５は、画像光生成部１６で生成した画像光をスクリーン１１に投映させる。
【００２４】
投映レンズ１５は、第１レンズユニット１７、光路変換保持部材１８、及び、第２レンズユニット１９とからなる。光路変換保持部材１８は、暗室ケースとなっており、ケース外部の異なる位置には第１及び第２レンズユニット１７，１９を各々取り付ける第１及び第２レンズ取り付け部２０，２１が、また、ケース内部には光路変換手段である光路折り曲げミラー２２を保持する保持部２３がそれぞれ設けられている。
【００２５】
第１及び第２レンズユニット１７，１９は、複数のレンズ群、及び、複数の間隔環とでそれぞれ構成されている。第２レンズユニット１９は、画像光生成部１６から出射する画像光の進路と平行な主光軸１９ａを有している。光路折り曲げミラー２２は、平面鏡となっており、第１レンズユニット１７と第２レンズユニット１９との間に配されており、色合成された画像光の主光軸１９ａを、直角に折り曲げる。第１レンズユニット１７は、背面鏡１３と対面する向きに配されている。なお、光路折り曲げミラー２２は、直角以外の角度に主光軸１９ａを折り曲げても良い。また、光路折り曲げミラー２２の代わりにプリズムなどの光路変換手段を用いてもよい。
【００２６】
第１レンズユニット１７は、投映レンズ１５のフォーカスレンズを構成している。この第１レンズユニット１７は、複数のレンズと複数の間隔環とを接着剤で固定して一体的に取り扱える構造になっている。複数の間隔環は、スクリーン１１の側から順に第１〜第３間隔環で構成されている。このうち第２間隔環２４には、外周に、第１被取り付け部２５が突出して一体に設けられている。この第１被取り付け部２５は、光路変換保持部材１８の第１レンズ取り付け部２０に取り付けられる。第１レンズ取り付け部２０には、第１レンズユニット１７の後端が入り込んで光路折り曲げミラー２２で反射する投映光を通過させるための開口２６が形成されており、その開口２６の内壁には雌ネジ部２７が形成されている。
【００２７】
第２レンズユニット１９も、スクリーン１１の側から順に配された複数のレンズと複数の間隔環とで構成されており、これら複数のレンズと複数の間隔環とを接着剤で固定して一体的に取り扱える構造になっている。複数の間隔環のうちの第６間隔環２８には、第２被取り付け部２９が一体に設けられている。第２被取り付け部２９は、光路変換保持部材１８の第２レンズ取り付け部２１に取り付けられる。第２レンズ取り付け部２１には、第２レンズユニット１９の前端が入り込んで光路折り曲げミラー２２に向けて投映光を通過させるための開口３０が形成されており、その開口３０の内壁には雌ネジ部３１が形成されている。
【００２８】
第１レンズユニット１７は、図３に示すように、スクリーン１１の側から順に、第１レンズ素子３２、第１間隔環３３、第２〜第４レンズ素子３４〜３６、第２間隔環２４、第５レンズ素子３７、第３間隔環３８、及び、第６レンズ素子３９を配した構成になっている。第１間隔環３３は、光軸１９ａの方向の前後端に、第１レンズ素子３２の第２面（スクリーンとは逆側の面）のコバと第２レンズ素子３４の第１面（スクリーン側の面）のコバとが当接し、これらレンズ素子３２，３４の間隔を規制する。第２レンズ素子３４は、第２面のコバが第３レンズ素子３５の第１面のコバに当接する。第３レンズ素子３５は、第２面のコバが第４レンズ素子３６の第１面のコバに当接する。第２間隔環２４は、光軸１９ａの方向の前後端に、第４レンズ素子３６の第２面のコバと第５レンズ素子３７の第１面のコバとが当接し、これらレンズ素子３６，３７の間隔を規制する。そして、第３間隔環３８は、光軸１９ａの方向の前後端に、第５レンズ素子３７の第２面のコバと第６レンズ素子３９の第１面のコバとが当接し、これらレンズ素子３７，３９の間隔を規制する。このうち第２間隔環２４の外周に第１被取り付け部２５が一体に形成されている。
【００２９】
第１被取り付け部２５は、フランジ部４０と雄ネジ部４１とで構成されている。雄ネジ部４１は、第１レンズ取り付け部２０の雌ネジ部２７に螺合する。フランジ部４０は、雄ネジ部４１よりも突出しかつ周方向に連続したフランジ形状になっており、第１レンズ取り付け部２０の開口２６の上面に当接してそれ以上のネジ込みを阻止して第１レンズユニット１７の光軸１９ａの方向での位置決めを行うためのものである。これらレンズ素子３２，３４〜３７、３９と間隔環３３，２４，３８とは、鏡筒状の治具を利用して位置決めした後に、各レンズ素子３２，３４〜３７、３９と各間隔環３３，２４，３８との間、及び、各レンズ素子３４〜３６との間に接着剤４２を塗布して一体構造にされる。
【００３０】
治具４３は、図４及び図５に示すように、光軸１９ａに直交しかつ光軸１９ａ上に沿った平面で分断した上型４５と下型４６との２つ割り構造となっており、上型４５と下型４６とを径方向に沿って組み合わせることで、各レンズ素子３２，３４〜３７，３９、及び間隔環３３，２４，３８を挿入するための筒部４７が形成される。筒部４７の内周には、各レンズ素子３２，３４〜３７，３９、及び間隔環３３，２４，３８を所定位置に位置決めするための段部が光軸１９ａに沿って複数形成されている。各段部は、光軸１９ａに平行な各面（径の異なる内周面）と、光軸１９ａ方向のうちの一方向（押さえ方向）に対して対峙する受け部５０とで構成されている。光軸１９ａに平行な各面は、各レンズ素子３２，３４〜３７，３９、及び間隔環３３，２４，３８の外周に接し、かつ、これらの中心の位置を整合させるための位置決め面である。また、受け部５０は、筒部４７のうちの押さえ方向の下流側に配され、第６レンズ素子３９の第２面のコバに当接する。
【００３１】
治具４３の外周には、筒部４７の内周面まで貫通した開口部５１が複数形成されている。開口部５１は、各レンズ素子３４〜３６の間、及び、レンズ素子３２，３４，３６，３７，３９と間隔環３３，２４，３８との間に相当する外周で、かつ周方向の複数の位置、例えば３分割の位置に、それぞれ略円形で形成されている。これら開口部５１は、治具４３の外部から接着剤４２を塗布するための開口である。
【００３２】
組み立ては、各レンズ素子３２，３４〜３７，３９、及び間隔環３３，２４，３８を下型４６の筒部４７に、予め決めた位置に挿入し、その後に、上型４５を下型４６に径方向から被せる。このとき、図５に示すように、下型４６の外周に設けた位置決め穴５２に、上型４５の外周に設けた位置決めピン５３を挿入することで上・下型４５，４６との位置決めが行える。その後に、治具である押さえ部材５４を押さえ方向（受け部５０の方向）に第１レンズ素子３２に押し付ける。この押さえ部材５４としては、第１レンズ素子３２の第１面のコバのみに接するようにリング形状の部材で押さえるのが、投影光が通る範囲に傷を付けないので、望ましい。これにより、各レンズ素子３２，３４〜３７，３９、及び間隔環３３，２４，３８は、隙間なく突き当てられる。
【００３３】
その後、複数の開口部５１を通して接着剤４２を注入して、各レンズ素子３２，３４〜３７，３９、及び間隔環３３，２４，３８を接着する。注入するときには、複数の注入器を用いて一度に注入してもよいし、例えば前側の開口部５１の列から順番に分けて注入してもよい。なお、接着剤４２としては、紫外線硬化性樹脂などの接着剤を用いるのが好適である。この場合には、紫外線を照射するだけで硬化するので硬化時間を短縮することができる。
【００３４】
また、治具４３から取り出した後に微細な偏芯調整などを行う場合には、治具４３から取り出して偏芯調整などを行った後に再び接着剤４２を全周に追加して塗布して本固定をするようにしてもよい。また、調整しない場合であっても治具４３から取り出した後に全周に接着剤４２を施すことで補強になる。
【００３５】
接着剤４２が硬化した後に、押さえ部材５４の押さえを解除し、その後に上型４５を下型４６から取り外すことで、下型４６から第１レンズユニット１７を取り出すことができる。取り出した第１レンズユニット１７は、第２間隔環２４に設けた第１被取り付け部２５の雄ネジ部４１を、第１レンズ取り付け部２０の雌ネジ部２７に螺合させることで光路変換保持部材１８に精度良く取り付けることができる。
【００３６】
なお、例えば治具４３をアルミや金属製の材料で作っている場合、各レンズ素子３２，３４〜３６、３７，３９に傷を付けるおそれがある。そこで、治具４３の筒部４７の内周面にテフロン（登録商標）加工を施すようにするのが好適である。また、第１レンズユニット１７のコバ外周に、反射防止用の黒塗りを施す場合には、接着剤が硬化した後に黒塗りを施すのが望ましい。
【００３７】
また、各レンズ素子３２，３４〜３７，３９、及び間隔環３３，２４，３８（第２間隔環２４は第１被取り付け部２５を除く形態）は、スクリーン１１の側から順に、徐々に小径になる形態となっている。そこで、この治具４３は、第６レンズ素子３９以外の各レンズ素子３２，３４〜３７、及び間隔環３３，２４，３８については光軸１９ａの方向に遊びを持たせて位置決めしており、最後部の第６レンズ素子３９のみを受け部５０で受けて、残りの各レンズ素子３２，３４〜３７、及び間隔環３３，２４，３８を第６レンズ素子３９に向けて押し付けることで、光軸１９ａの方向での位置決めを行う構造にしている。また、各レンズ素子３２，３４〜３７，３９、及び間隔環３３，２４，３８（第２間隔環２４は第１被取り付け部２５を除く形態）は、治具４３から押さえ方向とは逆の方向に抜けるが、第２間隔環２４に設けた第１被取り付け部２５が抜けないため、治具４３を二分割構造にしている。
【００３８】
第２レンズユニット１９も、図６に示すように、治具４８を用いて各レンズ素子５５，５７，５９〜６２，６４，６６及び間隔環５６，５８，２８，６３，６５を位置決めしてから、各レンズ素子５５，５７，５９〜６２，６４，６６と間隔環５６，５８，２８，６３，６５との間に接着剤４２を塗布して一体的に扱える構造になっている。治具４８は、光軸１９ａに交差する平面で分断した前型６８と後型６９との２つ割りにした構造となっており、前型６８と後型６９とを光軸１９ａの方向に沿って合わせることで一つの治具になる。
【００３９】
前型６８には、第７〜第１０レンズ素子５５，５７，５９，６０、及び、第４・第５間隔環５６，５８、並びに、第６間隔環２８の前端（第２被取り付け部２９から前側）を受け入れる筒部７０と、受け部７１とが形成されている。
【００４０】
第６間隔環２８には、外周に第２被取り付け部２９が一体に形成されている。第２被取り付け部２９は、フランジ部８１と雄ネジ部８０とで構成されている。雄ネジ部８０は、第２レンズ取り付け部２１の雌ネジ部３１に螺合する。フランジ部８１は、雄ネジ部８０よりも突出しかつ周方向に連続したフランジ形状になっており、第２レンズ取り付け部２１の開口３０の上面に当接してそれ以上のネジ込みを阻止して第２レンズユニット１９の光軸１９ａの方向での位置決めを行う。
【００４１】
第７〜第１０レンズ素子５５，５７，５９，６０、及び、第４・第５間隔環５６，５８、並びに、第６間隔環２８の前端は同じ外径になっており、また、筒部７０の内周面もストレートになっている。この内周面が第７〜第１０レンズ素子５５，５７，５９，６０、及び、第４・第５間隔環５６，５８、並びに、第６間隔環２８の前端の外周に接し、かつ、これらの中心の位置を整合させるための位置決め面になる。受け部７１は、筒部７０のうちの押さえ方向（スクリーン１１側の方向）の下流側に配され、第７レンズ素子５５の第１面のコバに当接する。なお、第９及び第１０レンズ素子５９，６０、並びに、第１１及び第１２レンズ素子６１，６２は、それぞれ貼り合わせレンズとなっており、貼り合わした後に治具４８に挿入される。
【００４２】
後型６９には、第１１〜第１４レンズ素子６１，６２，６４，６６、及び、第６間隔環２８の後端（第２被取り付け部２９から後端）、第７間隔環６３、並びに、第８間隔環６５を受け入れる筒部７３が形成されている。第１１〜第１４レンズ素子６１，６２，６４，６６、及び、第６間隔環２８の後端、第７間隔環６３、並びに、第８間隔環６５は、前型６８の筒部７０よりも小径でかつ同じ外径になっている。よって、この筒部７３の内周面もストレートになっている。この内周面が第１１〜第１４レンズ素子６１，６２，６４，６６、及び、第６間隔環２８の後端、第７間隔環６３、並びに、第８間隔環６５の外周に接し、かつ、これらの中心の位置を整合させるための位置決め面になる。なお、この治具４８の外周にも、接着剤４２を塗布するための開口部７４が複数形成されている。
【００４３】
組み立ては、前型６８に、第７レンズ素子５５、第４間隔環５６、第８レンズ素子５７、第９及び第１０貼り合わせレンズ５９，６０、及び、第６間隔環２８を押さえ方向から順に挿入し、その後、後型６９を前型６８に押さえ方向から取り付ける。このとき、前・後型６８，６９との外周に設けた位置決め穴７６と位置決めピン７７とを嵌合させることで前・後型６８，６９との位置決めが行える。その後に、第１１及び第１２レンズ素子６１，６２の貼り合わせレンズ、第７間隔環６３、第１３レンズ素子６４、第８間隔環６５、第１４レンズ素子６６を後型６９の筒部７３に順に挿入し、治具であるリング状の押さえ部材７８を押さえ方向から第１４レンズ素子６６の第２面のコバに押し当てる。これにより、各レンズ素子５５，５７，５９〜６２，６４，６６及び間隔環５６，５８，２８，６３，６５は、隙間なく突き当てられる。その後、複数の開口部７４を通して接着剤４２を注入し、各レンズ素子５５，５７，５９〜６２，６４，６６及び間隔環５６，５８，２８，６３，６５を接着する。
【００４４】
接着剤４２が硬化した後に、押さえ部材７８の押さえを解除して後型６９を前型６８から取り外す。これにより、前型６８から第２レンズユニット１９を押さえ方向とは逆の方向に向けて取り出すことができる。取り出した第２レンズユニット１９は、第６間隔環２８に設けた第２被取り付け部２９の雄ネジ部８０を、第２レンズ取り付け部２１の雌ネジ部３１に螺合させることで、光路変換保持部材１８に精度良く取り付けられる。そして、第１及び第２レンズユニット１７，１９を取り付けた光路変換保持部材１８は、リアプロジェクタ１０の筺体の内部の暗室に取り付けられる。
【００４５】
図４で説明した第１レンズユニット１７は、フランジ部４０が治具４３から抜けないため、型を複数に分割にした治具を用いているが、本発明ではこれに限らず、一体化構造の治具を用いてもよい。この場合には、図７に示すように、第２間隔環２４から突出するフランジ部９３及び雄ネジ部９４を周方向に複数に分断した形態とし、図８に示すように、治具を一体型９２とし、その一体型９２の内周に、複数に分断したフランジ部９３及び雄ネジ部９４を逃がすための逃がし溝９５を、一体型９２から抜く抜き方向（押さえ方向とは逆の方向）に沿って形成すればよい。なお、治具を割り型にする場合には、２つの割り型に限らず、３つ以上の割り型で構成してもよい。
【００４６】
また、上述した各実施形態では、第１及び第２レンズユニットと相手側の光路変換保持部材とをネジ込み式の固着手段でそれぞれ取り付けるように構成しているが、本発明ではこれに限らず、バヨネット結合を用いた固着手段やボルトやビスなどを用いた固着手段で取り付けるように構成してもよい。この場合には、雄・雌ネジ部を省略することができる。また、ボルトやビスなどを用いた固着手段の場合には、フランジ部と相手側レンズ取り付け部とに位置決めピンと位置決め穴とからなる位置決め手段を設けておくのが好適である。
【００４７】
さらに、レンズ素子３４〜３６同士又はレンズ素子３２，３４，３６，３７，３９と間隔環３３，２４，３８とを接着する場合、接着剤４２が外周から盛り上がって治具から抜けないおそれがある。この場合、接着剤４２を全周ではなく、周方向の複数箇所のみに塗布するので、盛り上がった接着剤４２を逃がすための逃がし溝を開口部５１からレンズユニットの抜き方向に沿って筒部４７の内周に作っておけばよい。また、接着剤４２を多量に塗布しても、レンズ素子同士及びレンズ素子と間隔環とを突き当てているため、接着剤４２がレンズ素子の内側（光軸側）に漏れることがない。さらに、レンズ同士及びレンズと間隔環同士の当接部の形状としては、断面において受けの方が面、押し当てる方が点となる点当たり形状にしてもよいし、面同士で当たる面当たり形状にしてもよい。
【００４８】
さらには、上記各実施形態では、貼り合わせレンズを含むレンズ素子のみを用いているが、ガラス層と合成樹脂層とを接合した樹脂積層レンズを用いてもよい。また、ガラス以外のプラスチック製のレンズ素子を用いても、本発明では、高熱を付与しないで接着剤のみを用いて一体構造にするため、問題は生じない。
【００４９】
また、上記各実施形態では、レンズユニットを構成する複数の間隔環のうちの所定の間隔環に被取り付け部を設けているが、これに限らず、いずれか一つの間隔環に取り付け部を設ければよい。また、複数の間隔環を用いることに限らず、一つの間隔環とその前後に接着する一対のレンズとで構成したレンズユニットでもよい。
【００５０】
上記各実施形態では、レンズユニットの組み立て方法として、複数のレンズ素子と間隔環とをいっぺんに治具に挿入してレンズユニットを作っているが、これの代わりに、一部のレンズ素子と間隔環とを、第１の治具を用いて予め一体構造に作っておき、一体構造にしたものと残りのレンズ素子及び間隔環とを第２の治具にセットして作る二段階組み立て手順でレンズユニットを作るようにしてもよい
【００５１】
また、上記各実施形態では、光路変換部材を用いたリアプロジェクタとして説明しているが、光路変換部材を用いないリアプロジェクタの場合には、本発明のレンズユニットを画像生成ユニットケースに精度良く取り付けるように構成すればよい。
【００５２】
さらに、上述各実施形態においては、リアプロジェクタについてのみ説明しているが、本発明はこれに限定されず、スクリーンの前面に投影するプロジェクタや、カメラ、及び、複写機などの光学系を用いた光学機器にも適用することができる。
【図面の簡単な説明】
【００５３】
【図１】リアプロジェクタの構成を示す説明図である。
【図２】プロジェクタユニットの概略を示す断面図である。
【図３】第１レンズユニットを示す断面図である。
【図４】第１レンズユニットを作るための上下二つ割り型の治具を示す断面図である。
【図５】図４で説明した治具の縦断面図である。
【図６】第２レンズユニットを作るための左右二つ割り型の治具を示す断面図である。
【図７】第１レンズユニットを作るための型を一体型にした別の例を示す縦断面図である。
【図８】図７で説明した一体型の横断面図である。
【符号の説明】
【００５４】
１０  リアプロジェクタ
１１  スクリーン
１５  投映レンズ
１７  第１レンズユニット
１８  光路変換保持部材
１９  第２レンズユニット
２０  第１レンズ取り付け部
２１  第２レンズ取り付け部
２２  光路折り曲げミラー
２４  第２間隔環
２５  第１被取り付け部
２８  第６間隔環
２９  第２被取り付け部
４２  接着剤
４３，４８  治具
【図１】
2007183505.tif 000003
【図２】
2007183505.tif 000004
【図３】
2007183505.tif 000005
【図４】
2007183505.tif 000006
【図５】
2007183505.tif 000007
【図６】
2007183505.tif 000008
【図７】
2007183505.tif 000009
【図８】
2007183505.tif 000010